(57)【要約】【課題】電動ステープラであって、アームを駆動させてステープルを打ち出す打ち出し機構と、針貫通テーブルが更に下降して脚部を内側方向へ折り曲げる針曲げ機構とからなる小型で安価な電動ステープラを提供する。【解決手段】アームを上下動させてステープルを打ち出す機構と、ステープルの脚部を折り曲げる機構とからなり、針曲げ機構が、アンビルと、上下するカムと、ステープルが紙束を貫通した後に更に下降してアンビルでステープルの脚を折り曲げるアームと、アームとともに初期位置に戻る針貫通テーブルと、係合脱着軸を押圧することによって紙止部材の係合を解除できる下方に回動可能な下部カバーと、からなる電動ステープラ【選択図】  図１
2012081544.tif 000002
【特許請求の範囲】
【請求項１】
駆動装置の駆動により回動するギアと、前記ギアの周縁に突設されてギアの回動に追従して回転するカムと、前記カムと係合して回転動作を上下動に変換する半円形のガイドと、前記ガイドが上面に設置され後端の回動軸を支点に遥動して先端に設けられたステープル押刃を降下させてステープルを打ち出すアームと、からなる打ち出し機構と、紙束を貫通したステープルの脚部を内側方向へ折り曲げるアンビルを装備した針曲げ機構と、からなる電動ステープラにおいて、
前記針曲げ機構が、ステープルの脚を上からの押圧により内側に折り曲げる一対の折曲部（溝）の形成されたアンビル７０と、回転軸を支点に回動自在に装着され前記アンビルにステープルの脚を押圧して折り曲げるようにステープルが紙束を貫通した後にステープルを更に下降させる針貫通テーブル６６と、係合脱着軸６４を押圧することによって電動ステープラ本体と針曲げ機構との係合を解除し前記回動軸６２を支点に針曲げ機構を電動ステープラ本体の下方に回転分離する下部カバー６１と、からなることを特徴とする電動ステープラ。
【請求項２】
前記電動ステープラの針曲げ機構は、駆動装置を始動させるマイクロスイッチが電動ステープラ本体の内部に装備され、挿入された紙束の先端面が前記マイクロスイッチを当接押圧することにより電源を感応始動させることを特徴とする請求項１記載の電動ステープラ。
【請求項３】
前記電動ステープラは、前記アームによって打ち出されたステープルが紙束の正面左上に紙束の上端縁に並行、または、約４５度程度の角度の位置で、紙束を貫通封綴することを特徴とすることを特徴とする請求項１記載の電動ステープラ。
【請求項４】
前記電動ステープラは、紙束の先端に当接するマイクロスイッチの位置を、紙束の正面左上の紙束の上端縁から６ｍｍ〜２０ｍｍの間の選択された任意の位置に移動調節してからステープルを打ち出し、紙束を貫通封綴するステープルの位置を任意の高さとすることを特徴とする請求項１記載の電動ステープラ。
【発明の詳細な説明】
【技術分野】
【０００１】
本発明は、ステープルの脚部を紙束の裏面に沿って平坦に折曲するフラットクリンチ型の電動ステープラであって、特に、アームを駆動させてステープルを打ち出す打ち出し機構と、ステープルが紙束を貫通した後に針貫通テーブルが下方へ回動してアンビルで脚部を内側方向へ平坦に折曲する針曲げ機構とを装備した小型の電動ステープラに関する。
【背景技術】
【０００２】
電動ステープラは種々の構造のものが知られているが、ステープル打ち込み時に紙を支えるテーブルとは別に、テーブルの下に回転型クリンチャを設け、ステープルの脚部が紙束を貫通した後に、クリンチャを回転駆動して紙束を貫通したステープルの脚部を折り曲げるフラットクリンチ型のものがある。フラットクリンチ型ステープラにおいてはステープルの脚部を平坦に折り曲げるので見栄えが良く、また、綴じた書類を積み重ねた場合の厚さが嵩張らないという長所がある。
【０００３】
しかし、この構造の電動ステープラは、クリンチャの部品数が多く、構造が複雑であった。そのため、簡易構造で小型でありながら、確実に平坦にステープルを折り曲げることができる電動ステープラの開発が望まれていた。
【０００４】
また、厚い紙束を無理に綴じる場合や、ステープルの打ち出しに失敗した場合には、電動式のステープラではステープルの閉じ操作の途中で作動を停止させる必要がある。この場合、紙束をステープラから綺麗な状態で取出すことが困難になるという問題があった。
その為、電動式でありながら、ステープラの動作停止時に紙束を容易かつ安全に取出すことが出来るフラットクリンチ型のステープラの開発が望まれていた。
【０００５】
【特許文献１】特開２００９−２４８２２６号公報
【特許文献２】特開２００６−１１６６３８号公報
【発明の概要】
【発明が解決しようとする課題】
【０００６】
本発明は上記問題を解決するために、ステープルの脚部を平坦に折曲するフラットクリンチ型の電動ステープラであって、特に、アームを駆動させてステープルを打ち出す打ち出し機構と、ステープルが紙束を貫通した後にアンビルを備えた針貫通テーブルが下方へ回動して脚部を内側方向へ折り曲げる針曲げ機構とを装備した小型の電動ステープラを提供することを目的とする。
【課題を解決するための手段】
【０００７】
上記目的を達成するために、本発明に係る電動ステープラは、駆動装置の駆動により回動するギアと、前記ギアの周縁に突設されてギアの回動に追従して回転するカムと、前記カムと係合して回転動作を上下動に変換する半円形のガイドと、前記ガイドが上面に設置され後端の回動軸を支点に遥動して先端に設けられたステープル押刃を降下させてステープルを打ち出すアームと、からなる打ち出し機構と、紙束を貫通したステープルの脚部を内側方向へ折り曲げるアンビルを装備した針曲げ機構と、からなる電動ステープラであって、前記針曲げ機構が、ステープルの脚を上からの押圧により内側に折り曲げる一対の折曲部（溝）の形成されたアンビル７０と、回転軸を支点に回動自在に装着され前記アンビルにステープルの脚を押圧して折り曲げるようにステープルが紙束を貫通した後にステープルを更に下降させる針貫通テーブル６６と、係合脱着軸６４を押圧することによって電動ステープラ本体と針曲げ機構との係合を解除し前記回動軸６２を支点に針曲げ機構を電動ステープラ本体の下方に回転分離する下部カバー６１と、からなる構成である。
【０００８】
また、駆動装置を始動させるマイクロスイッチが電動ステープラ本体の内部に装備され、挿入された紙束の先端面が前記マイクロスイッチを当接押圧することにより電源を感応始動させる構造である。
更に、アームによって打ち出されたステープルが紙束の正面左上に紙束の上端縁に並行、または、約４５度程度の角度の位置で、紙束を貫通封綴する構成である。
【０００９】
また、紙束の先端に当接するマイクロスイッチの位置を、紙束の正面左上の紙束の上端縁から６ｍｍ〜２０ｍｍの間の選択された任意の位置に移動調節してからステープルを打ち出し、紙束を貫通封綴するステープルの位置を任意の高さとする構造でもある。
【発明の効果】
【００１０】
本発明に係る電動ステープラは、上記詳述した通りの構成であるので、以下のような効果がある。
１、針の貫通作動と針曲げを同時に行わない構成であり、ステープル脚部が直線状のまま紙束を針貫通した後に、次の操作として針曲げ作動をすることにより、貫通と度同時にクリンチをするのではないので、電動ステープラであって簡易な構造で小型でありながら確実にフラットクリンチすることが可能になった。
２、紙束挿入部１８に紙束１４が挿入され、紙束１４の先端面がマイクロスイッチ９０を押圧するとスイッチが応動してモータを駆動させる構成であるので、空打ちの危険がなく安全な構成となっている。
【００１１】
３、紙束を封綴するステープルの位置は、従来のように紙束の正面左上の斜め位置であっても、また紙束の正面左上の上端縁に並行の位置であっても良い。
４、紙束を封綴するステープルの位置は、紙束の正面左上の上端からに６ｍｍ〜２０ｍｍの間の位置を選択することが可能で、紙束の先端に当接するマイクロスイッチ９０の位置を適宜にして移動調節して、ステープルの位置を任意の高さに選択することができる構造である。
【図面の簡単な説明】
【００１２】
【図１】本発明に係る電動ステープラの斜視図
【図２】針貫通時の電動ステープラの斜視図
【図３】針折り曲げ時の電動ステープラの斜視図
【図４】アームの待機時のギアとカムの位置関係を示す側面図
【図５】アームの針貫通時のギアとカムの位置関係と針曲げ機構の作動を示す側面図
【図６】アームの針折り曲げ時の針曲げ機構の作動とギアとカムの位置を示す断面図
【図７】下部カバーが解放された状態を示す斜視図
【発明を実施するための最良の形態】
【００１３】
以下、本発明に係る電動ステープラを図面に示す実施例に基づいて詳細に説明する。
本発明にかかる電動ステープラ１０は、打ち出し機構３０と針曲げ機構６０とからなる構成であり、打ち出し機構３０は、回転ギア２０と、カム２５と、ガイド２６と、アーム３１とからなり、アーム３１の上面に環状のガイド２６が装備されており、ガイド２６の環状の中にギアに突設されたカム２５が嵌装されている構成である。また、針曲げ機構６０は、針貫通テーブル６６と下部カバー６１とからなる。
【００１４】
作動としては、駆動装置（モータ）１６を駆動させると回転ギア２０が回転し、前記ギアに突設されているカム２５がアームを押圧降下させることにより図４から図６で示すように待機時（図４）から針貫通時（図５）へと移動し、更に、針折り曲げ時（図６）の角度にステープルの打ち出しに連動してアームを降下させることが可能となる。アームの先端にある押刃３３が降下してステープル１２を紙束１４に貫通させる。その後もカムは回転して下死点に達したところで、針曲げ機構６０により紙束１４を貫通したステープル１２の脚部を内側方向へフラットに折り曲げる。ギアとカムはそのまま回動し、カムの下死点を過ぎてからカムに係合しているガイドに当接しガイドの内側に沿ってアームを上昇させて元の待機時の位置（図４）まで上昇させる。
【００１５】
図１は、本発明の電動ステープラの実施例であり、本件発明にかかる電動ステープラ１０は、打ち出し機構３０と針曲げ機構６０とからなる。
打ち出し機構３０は、駆動装置（モータ）１６の駆動により回転する円形の回転ギア２０と、該ギアの周縁に突設されてギアの回転とともに図４〜図６に移動の状態を示すように回転するカム２５と、前記カムと係合して回転動作を上下動に変換する半円形のガイド２６とからなり、前記ガイドを上面に設置した構成のアーム３１が、後端の回動軸を支点に遥動する構造で、アームの先端にはステープルを押圧して紙束１４に突き刺す押刃３３が設けられていて、カムがアームの上面からアームを降下させることにより整列収納されているステープルの最先端のステープル１２を一つ打ち出し、打ち出されたステープルを紙束１４に貫通させ、紙束を封綴する。
【００１６】
アーム３１の上面には半円形の環状のガイド２６が設置されており、ガイド２６の環状の中にギアに突設されたカム２５が嵌装されている構成である。カム２５の上死点でアームは持ち上げられた待機状態となり、カム２５が右１２０度に達した点でステープル１２は紙束１４を貫通する。さらに、アーム３１はカム２５の移動で押下げられ、下死点でアーム３１が最下段に達して、貫通したステープル１２の脚部を曲げる構成である。
【００１７】
図４はアームの待機時であり、ギアとカムの位置関係が示された側面図である。回転ギア２０は、ギアの回転に追従して回動する突設されたカム２５が回動して上死点へ達した状態を示している。カム２５の上昇に伴い、カム２５はアーム３１に固定された半円状のガイド２６の内側に摺接して移動し、アームを持ち上げて回動軸６２を支点にして遥動するアーム３１を可動域の上限まで引き上げる。この状態が、押刃によりステープルが押し出される前の待機状態となる。
【００１８】
図５はアームの針貫通時のギアとカムの位置関係を示す側面図であり、回転ギア２０の駆動により応動するカム２５が上死点から時計回りに約１２０度回転して降下するのに伴い、回動軸６２を支点に回動自在に軸支されたアーム３１の上面を押圧して降下させ、アームの先端に設けられた押刃３３により整列収納されていたステープルの最先端の位置にある一つのステープル１２を、その脚部１２ｎが紙束１４を貫通する位置まで押し下げる。押刃３３は、ステープル１２を真上から押圧して打ち出し、脚が紙束１４を貫通してステープル１２の針貫通状態が完了する。
【００１９】
本発明に係る電動ステープラの針曲げ機構６０は、アンビル７０と針貫通テーブル６６と下部カバー６１とからなる。
アンビル７０は、金属塊からなる針曲台であり、紙束を貫通したステープルの脚を内側にクリンチ（折り曲げ）する２本の溝からなる一対の折曲部を備えた冶具である。本件発明の針曲げ機構は、ステープルが紙束を貫通すると同時にクリンチする従来の電動ステープラとことなり、紙束への貫通を完了してから別の作動としてステープルの脚をフラットクリンチする構造であり、小型の電動ステープラでありながらフラットクリンチが出来る点で特徴がある。
【００２０】
針貫通テーブル６６は、台形の枠体で、回転軸を支点に回動自在に下部カバー６１に装着されている。
ステープル１２の脚部１２ｎを平坦に折り曲げるようにステープルが紙束を貫通した後に針貫通テーブル６６が更に下方に降下して前記アンビル７０でステープルの脚を折り曲げる。折り曲げ完了後は、針貫通テーブル６６も前記アームとともに初期位置に戻るように構成されている。
ステープル１２は針貫通テーブル６６の針受穴（図示せず）を貫通する。紙束はアーム底面と針貫通テーブルの上面に挟持され状態で、ステープルの脚部が真っ直ぐ上から押下げられて貫通する。次に、カムが下死点に達することにより、カム２５の押圧によりアーム３１が針貫通テーブル６６とともに下限まで押し下げられ、針貫通テーブル６６の下方に設置されているアンビル７０に達し、これによりステープル脚部１２ｎが平坦に押し曲げられる。
【００２１】
下部カバー６１は、前記回動軸６２を支点に回転する構造であり、また、係合脱着軸６４により電動ステープラ本体に係合固定されている。係合脱着軸６４を押圧移動させることにより係合を解除することが出来る。太い軸部分の係合が外れて細芯部分が細長円形切欠溝に押し出されることにより、下部カバー６１の全体が回動軸６２を支点として電動ステープラ本体の下方に回転移動する。
【００２２】
図６はアーム３１の針折り曲げ時のギアとカムの位置関係と針曲げ機構の作動を示す断面図である。回転ギア２０の回転により追従するカム２５が、前記針貫通時の１２０度の位置から更に下死点まで移動してアーム３１を押し下げる。このカムの移動によるアーム３１の押下げ圧力によりステープル１２の脚部１２ｎはアンビル７０の一対の折曲部に押圧されて、下死点でステープルの脚はフラットクリンチされる。
アーム３１の先端に設けられた押刃３３が下方に押圧移動してステープル１２を上方から強く押し下げ、これにより脚部１２ｎは紙束に貫通した状態でアンビルに当接してステープルの脚はフラットクリンチされ、針折り曲げ状態が完成する。
【００２３】
本発明においては、ステープル１２を打ち込む幅となるアームの押刃３３の上下動の距離を確保するために、ギアの半径との関係で、アーム３１の回転半径をより短くするように工夫するとともに、回転ギア２０の軸からカム２５の軸までの距離が広くなるように構成している。これによりカムがアームの先端を協力に押し下げられる距離で、アーム３１の可動域を大きく保ちつつ有効にアームの先端にある押刃３３が押される構造とすることができる。
【００２４】
図７に示す本発明に係る下部カバー解放時の斜視図では、電動ステープラ１０の右側面に設置された係合脱着軸６４の側端の押圧部６５をプッシュすることにより、下部カバー６１と電動ステープラ本体との係合は解除される。これにより、下部カバー６１は回動軸６２を支点に電動ステープラ本体の下方に分離移動し、下部カバーは解放状態となる構造である。
【００２５】
従来の下部カバー固定式の電動ステープラでは、ステープルの打ち出しに失敗し、閉じ作業を途中で中止する場合は、作業途中である紙束１４を電動ステープラ本体から取り出すことが困難であった。従来の機器では、紙束挿入部１８の間隙は狭く、そのうえ紙束１４がスタックした状態では除去作業に器具などを使用するのが困難となるという実情があった。本発明に係る電動ステープラでは、係合脱着軸６４の側端を押すことによって下部カバー６１が分離回動する構造である。下部カバーを下方向へ解放することにより、閉じ作業の途中で動作が停止した場合でも、紙束１４を容易にステープラから綺麗な状態で取り外すことが可能となった。
【００２６】
図１に示すように、下部カバーの紙束挿入部１８の奥に、紙束挿入方向に垂直に立設され、進入した紙束の先端に当接するようにマイクロスイッチ９０が設けられている。マイクロスイッチ９０は、電動ステープラ本体内部に装備されており、紙束の挿入を当接により検知し、さらにスイッチ機能により駆動装置を始動する構成である。マイクロスイッチ９０が紙束の進入を先端の当接により検知し、駆動装置（モータ）１６を駆動させ、ギアの回動と連動する押圧手段により待機時から針貫通時、針折り曲げ時へとアーム３１を上下動させる機構であるので、紙束の進入していない状態で空打ちをすることのない構造である。
【００２７】
紙束１４を封綴するステープル１２の嵌入位置は、従来のように紙束の正面左上の斜めの箇所である約４５度程度の角度の位置であっても良いが、紙束の正面左上の上端縁に並行の位置、すなわち紙の上端に沿った平行の位置に嵌入する構成であっても良い。これは、挿入する紙束１４の紙束挿入部１８に対する角度による選択であって、電動ステープラの機能に基づくものではないが、紙束の挿入角度に関わらず、マイクロスイッチ９０に紙束の先端面が押圧接触した時点で封綴が完了する。
【００２８】
紙束１４を封綴するステープル１２の貫通位置としては、通常のＡ４サイズの紙であれば、上端から６ｍｍ程度の箇所が望ましい。ただし、本発明の電動ステープラでは、紙束の先端に当接するマイクロスイッチの位置を移動調節することが可能であり、紙束の正面左上の紙束の上端縁から６ｍｍ〜２０ｍｍの間の選択された任意の位置にステープルを貫通させるために打ち出すことができる。これにより、紙束を貫通封綴するステープルの位置を要望に応じて任意の高さにすることが出来る。
【符号の説明】
【００２９】
１０    電動ステープラ
１２    ステープル
１２ｎ  ステープル脚部
１４    紙束
１６    駆動装置
１８    紙束挿入部
２０    回転ギア
２５    カム
２６    ガイド
３０    打ち出し機構
３１    アーム
３３    押刃
６０    針曲げ機構
６１    下部カバー
６２    回動軸
６４    係合脱着軸
６５    押圧部
６６    針貫通テーブル
７０    アンビル
９０    マイクロスイッチ
【図１】
2012081544.tif 000003
【図２】
2012081544.tif 000004
【図３】
2012081544.tif 000005
【図４】
2012081544.tif 000006
【図５】
2012081544.tif 000007
【図６】
2012081544.tif 000008
【図７】
2012081544.tif 000009